(57)【要約】【課題】レジストローラとレジストコロとのニップ力を増大させることなく、ケント紙のような腰の強い厚紙原稿を給紙する際にも原稿のループを十分にとれるようにして、レジスト処理を確実に行なるようにした原稿給紙装置を提供することである。【解決手段】原稿を所定位置に給紙する給紙手段と、該給紙手段と前記所定位置との間に設けられ給紙される原稿の先端を突き当てて原稿を整合処置するレジスト手段とを備えた原稿給紙装置において、前記レジスト手段は原稿の先端が突き当たるニップ点２９を有するレジストローラ２８ａ及びレジストコロ２８ｂと、これらレジストローラ２８ａ及びレジストコロ２８ｂの支軸３３，３５を連結するギヤ３４，３６と、前記支軸３３，３５の回転を固定する電磁クラッチ３７とを備える。ギヤ３４，３６によって連結された支軸３３，３５を電磁クラッチ３７によってロックするので、ケント紙のような腰の強い厚紙原稿の先端でニップ点２９を強く押したとしてもレジストローラ２８ａ及びレジストコロ２８ｂが回転してしまうことがないため、原稿のスキューを十分に取り除くことができる。【選択図】　　　図３
2004026375.tif 000002
【特許請求の範囲】
【請求項１】
原稿を所定位置に給紙する給紙手段と、
該給紙手段と前記所定位置との間に設けられ給紙される原稿の先端を突き当てて原稿を整合処置するレジスト手段とを備えた原稿給紙装置において、
前記レジスト手段は、原稿の先端が突き当たるニップ点を有する一対のローラと、
これら一対のローラの駆動軸を連結する連結手段と、
前記駆動軸の回転を固定するブレーキ手段とを備えたことを特徴とする原稿給紙装置。
【請求項２】
前記連結手段が一対のローラを回転させる駆動手段に連結されてなる請求項１記載の原稿給紙装置。
【請求項３】
前記駆動手段が正逆回転可能な駆動モータと、該駆動モータの一方向への回転駆動を前記給紙手段に伝達する第１駆動伝達手段と、前記駆動モータの他方向への回転駆動を前記レジスト手段に駆動伝達する第２駆動伝達手段とを有する請求項２記載の原稿給紙装置。
【請求項４】
前記ブレーキ手段は、少なくとも原稿の先端が一対のローラのニップ部に突き当たる時に作動してなる請求項１記載の原稿給紙装置。
【請求項５】
前記ブレーキ手段が電磁クラッチである請求項１又は４記載の原稿給紙装置。
【発明の詳細な説明】
【０００１】
【発明の属する技術分野】
本発明は、原稿を所定位置に給紙する給紙手段と、該給紙手段と前記所定位置との間に設けられ給紙される原稿の先端を突き当てて原稿を整合処置するレジスト手段とを備えてなる原稿給紙装置に関する。
【０００２】
【従来の技術】
一般に、画像読取装置などに備えられる原稿給紙装置は、原稿を載置する給紙トレイと、給紙トレイ上の原稿を一枚づつ繰り出すための給紙手段と、繰り出された原稿の先端でループをとってスキューを取り除くレジスト手段と、該レジスト手段から送り出された原稿を画像形成装置のプラテン上に送り込む搬送手段と、画像が読み取られた原稿を搬送手段から受け取りこれを排紙トレイ上に排紙するための排紙手段とを備える。
【０００３】
前記レジスト手段は、図８に示したように、給紙モータＭＴ１からワンウエイクラッチを介して駆動伝達されるレジストローラ１と、このレジストローラ１に圧接して摩擦力で回転するレジストコロ２とを備えている。原稿４の給紙時にはレジストローラ１の回転を停止させておき、原稿４の先端４ａをレジストローラ１とレジストコロ２とのニップ点３に突き当ててループを形成し、それによってスキューが取り除かれた原稿４は、回転駆動するレジストローラ１と、これに従動回転するレジストコロ２との間にニップされながらプラテン上に送り込まれる。
【０００４】
【発明が解決しようとする課題】
ところで、ケント紙のような厚紙原稿を使用する場合には次のような問題点が生じる。即ち、厚紙原稿は腰が強いために、給紙される厚紙原稿の先端がレジストローラ１とレジストコロ２とのニップ点３に突き当たらずに飛び出してしまうおそれがある。また、厚紙原稿の先端がニップ点３に突き当たったとしても、押し込み力が強いためにループが十分にとれなかったり、厚紙原稿の先端でニップ点３を強く押すことでレジストローラ１やレジストコロ２が回転し、厚紙原稿の先端がニップ点３の先まで挿入してしまうなど、レジスト処理が十分に行なわれないおそれがあった。一般にはレジストローラ１にはワンウエイクラッチが設けられ一方向の回転が規制されているが、レジスト手段は給紙路のカーブのきつい位置に配置されることが多く、またレジストコロ２が給紙路の外側に配置されることから、厚紙原稿の先端でレジストコロ２に突き当たってレジストコロ２を回転させてしまい、厚紙原稿の先端がニップ点３の先まで侵入してしまうといった問題があった。これを解決する方法として、例えばレジストローラ１とレジストコロ２とのニップ力を増大することなどが考えられるが、厚紙原稿の表面にレジストローラ１やレジストコロ２の転がりの痕がすじ状に残ったりキズになるなどの問題があった。
【０００５】
そこで、本願発明の目的は、レジストローラとレジストコロとのニップ力を増大させることなく、ケント紙のような腰の強い厚紙原稿の給紙の際にも原稿のループを十分にとれるようにして、レジスト処理を確実に行なるようにした原稿給紙装置を提供することである。
【０００６】
【課題を解決するための手段】
本発明は、レジストローラのみならずレジストコロも一緒に駆動する一方、レジストローラ及びレジストコロの両方に電磁ブレーキを設けることで、上記の目的を達成するものである。具体的には原稿を所定位置に給紙する給紙手段と、該給紙手段と前記所定位置との間に設けられ給紙される原稿の先端を突き当てて原稿を整合処置するレジスト手段とを備えた原稿給紙装置において、前記レジスト手段が原稿の先端が突き当たるニップ点を有する一対のローラと、これら一対のローラの駆動軸を連結する連結手段と、前記駆動軸の回転を固定するブレーキ手段とを備えたことを特徴とする。
【０００７】
上述の手段によれば、給紙トレイから繰出された原稿をレジスト処理する際には一対のレジストローラがブレーキ手段によってロックされるので、ケント紙のような腰の強い厚紙原稿の先端がニップ点を強く押したとしてもレジストローラが回転することがなく、厚紙原稿の先端をニップ点で確実に突き当ててループをとることができるため、原稿のスキューを十分に取り除くことができる。また、一対のレジストローラが両方とも駆動されているので、原稿の搬送力が増してスリップなどを確実に抑えることができる。
【０００８】
また、本発明の請求項２は、前記連結手段が一対のローラを回転させる駆動手段に連結されていることを特徴とする。
【０００９】
また、本発明の請求項３は、前記駆動手段が正逆回転可能な駆動モータと、該駆動モータの一方向への回転駆動を前記給紙手段に伝達する第１駆動伝達手段と、前記駆動モータの他方向への回転駆動を前記レジスト手段に駆動伝達する第２駆動伝達手段とを有することを特徴としており、単一の駆動モータによって給紙手段とレジスト手段の両方の駆動を兼用している。
【００１０】
また、本発明の請求項４は、前記ブレーキ手段が少なくとも原稿の先端が一対のローラのニップ点に突き当たる時に作動していることを特徴としている。また、前記ブレーキ手段に電磁クラッチを利用することができる。
【００１１】
【発明の実施の形態】
以下、添付図面に基づいて本発明に係る原稿給紙装置の実施の形態を詳細に説明する。ここで、図１は本発明に係る原稿給紙装置の外観を示す斜視図であり、図２は原稿給紙装置の内部構造を示す図１のＡ−Ａ線断面図、図３は本発明の要旨であるレジスト手段の駆動機構を示す斜視図、図４は前記レジスト手段の駆動機構の平面図である。
【００１２】
図１及び図２に示されるように、原稿給紙装置１０は、樹脂形成された平板状の支持フレーム１１と、支持フレーム１１の一方の端側に給紙トレイ１２上に載置された原稿を繰り出すための給紙ユニット１３と、給紙ユニット１３から繰り出された原稿を受け取りこれを下方の画像読取装置１４のプラテン１５上の所定の位置に搬送して載置するための搬送ユニット１６と、支持フレーム１１の他方の端側に画像読取り後の原稿を排紙する排紙ユニット１７と、排紙された原稿を載置する排紙トレイ１８とを備えている。
【００１３】
前記排紙トレイ１８の下には読み取った原稿面を反転させるためのスイッチバック経路１９が設けられている。そして、本装置を保護するフロントカバー２０とリヤカバー２１が設けられている。このフロントカバー２０及びリヤカバー２１は、前記給紙ユニット１３、搬送ユニット１６、排紙ユニット１７のぞれぞれに一体に設けられるか、又は支持フレーム１１と一体に形成される。また、支持フレーム１１の上面には、給紙ユニット１３、搬送ユニット１６、排紙ユニット１７のそれぞれのローラを駆動するために正転及び逆転可能な給紙モータＭＴ１、搬送モータＭＴ２、排紙モータＭＴ３及びワンウエイクラッチＯＷが設けられている。
【００１４】
前記給紙トレイ１２は、給紙ユニット１３に向かって傾斜する平板状の部材で構成され、左右両側には原稿の横幅を規制する一対の規制板１２ａ，１２ｂが左右へのスライド可能に設けられている。
【００１５】
前記給紙ユニット１３は、給紙カバー２３と、前記給紙トレイ１２上に載置された原稿を繰り出す繰出しローラ２４と、重送原稿を一枚に分離する分離ローラ２５と、原稿の給紙を案内する給紙ガイド２６ａ，２６ｂと、前記分離ローラ２５によって一枚に分離された原稿を給紙する給紙ローラ２７と、給紙された原稿の先端を突き当てて原稿のスキューを取り除くレジスト手段（レジストローラ２８ａとレジストコロ２８ｂ）とで構成され、さらにレジストローラ２８ａの前後には原稿の先端を検出するレジストセンサＳ１と原稿の給紙を制御するタイミングセンサＳ２が配置される。
【００１６】
この実施形態において、前記レジストローラ２８ａは、図３及び図４に示したように、正逆転可能な給紙モータＭＴ１によって駆動され、この駆動力がプーリ３０，３２間に掛け渡されたタイミングベルト３１に伝達される。一方のプーリ３０に伝達された駆動力は、ワンウエイクラッチＯＷ１を介して給紙ローラ２７に伝達され、他方のプーリ３２に伝達された駆動力はワンウエイクラッチＯＷ２を介してギヤ３８に伝達される。そして、このギヤ３８は、レジストローラ２８ａの支軸３３の一端に取付けられたギヤ３４と噛み合っている。また、この実施形態ではレジストローラ２８ａにばね力で押圧されるレジストコロ２８ｂの支軸３５の一端にもギヤ３６が取付けられ、このギヤ３６と前記ギヤ３４とが噛み合って両方の支軸３３，３５を連結している。したがって、レジストローラ２８ａが回転されると、ギヤ３４，３６を介してその駆動力がレジストコロ２８ｂにも伝達され、両者が互いに逆向きに回転することになる。
【００１７】
また、この実施形態では前記レジストローラ２８ａの支軸３３の他端部に電磁クラッチ３７が取付けられている。この電磁クラッチ３７は本発明のブレーキ手段を構成するもので、レジストローラ２８ａの回転を停止し電磁クラッチ３７を作動させることで支軸３３の回転を完全にロックすることができる。この電磁クラッチ３７の作動によって、レジストローラ２８ａは勿論のこと、前記ギヤ３４，３６によって両方の支軸３３，３６が連結されているために、レジストコロ２８ｂの回転も確実にロックされることになる。
【００１８】
前記搬送ユニット１６は、図２に示したように、プラテン１５の上流側に配置された駆動ローラ５０と、同じく下流側に配置された従動ローラ５１と、その間に張設された搬送ベルト５２とを備え、前記駆動ローラ５０が搬送モータＭＴ２によって駆動されている。また、原稿をプラテン１５に正確に搬送し、精緻な画像読み取りを行うために複数の押圧ローラ５３が配設されている。
【００１９】
さらに、排紙ユニット１７は、プラテン１５上から排紙される原稿を案内する排紙ガイド４０と、原稿を排紙トレイ１８に搬送する一対の排紙ローラ４１，４２と、排紙する原稿の端を検出する排紙センサＳ３と、原稿の反転を検出する反転センサＳ４と、原稿を反転させる反転ローラ４３と、原稿の排紙経路を制御する排紙フラッパ４４と、原稿の反転経路を制御する反転フラッパ４５と、原稿を反転ローラ４３に押圧するピンチローラ４６等で構成され、これら全体が排紙カバー４７によって保護されている。排紙カバー４７は、回動可能に形成されており、排紙カバー４７を開くことにより排紙経路及び反転経路を開放することができる。これにより、原稿がジャムした場合のジャム原稿の取り出しを容易にすると共に、メンテナンス性と操作性の向上を図っている。前記排紙ローラ４１及び反転ローラ４３は、排紙モータＭＴ３によって駆動されている。
【００２０】
次に、上述の構成からなる原稿給紙装置１０の給紙動作を図５乃至図７に基づいて説明する。特に、給紙トレイ１２にケント紙など腰の強い厚紙原稿６０をセットした場合について説明する。先ず、図５に示したように、エンプティセンサＳ５が厚紙原稿６０を検出すると、給紙モータＭＴ１が正回転する。これにより繰出しローラ２４と給紙ローラ２７が駆動し、厚紙原稿６０が繰出しローラ２４によって繰り出される。給糸トレイ１２から繰出された厚紙原稿６０は、分離ローラ２５によって１枚に分離されたのち給紙ローラ２７によって給紙される。
【００２１】
図６に示したように、給紙経路に給紙された厚紙原稿６０の先端がレジストセンサＳ１によって検出されると電磁クラッチ３７が作動する。その後、所定時間の間、給紙モータＭＴ１を駆動することによって、原稿の先端をレジストローラ２８ａとレジストコロ２８ｂとが圧接する部位（ニップ点２９）に突き当てる。このとき、レジストローラ２８ａ及びレジストコロ２８ｂには、給紙モータＭＴ１からの駆動力がワンウエイクラッチＯＷ２の働きによって伝達されないので、厚紙原稿６０の先端がニップ点２９に突き当たるとレジストローラ２８ａは回転してしまう。しかし、厚紙原稿６０が給紙される際には電磁クラッチ３７が作動しており、レジストローラ２８ａ及びレジストコロ２８ｂを完全にロックしてしまうので、腰の強い厚紙原稿６０の先端でニップ点２９を強く押したとしてもレジストローラ２８ａ及びレジストコロ２８ｂは回転しない。そのために、厚紙原稿６０の先端がニップ点２９に突き当たった状態でループを十分にとることができ、厚紙原稿６０のスキューを確実に取り除くことができる。
【００２２】
このようにして、レジスト処理が確実に行なわれ、給紙モータＭＴ１を停止させてから所定時間後に電磁クラッチ３７が解除され、さらに給紙モータＭＴ１が逆転駆動するとレジストローラ２８ａが回転し、ギヤ３４，３６を介してレジストコロ２８ｂも一緒に回転することで厚紙原稿６０をプラテン１５上に向けて給紙する。また、図７に示したように、搬送モータＭＴ２の駆動によって搬送ベルト５２を回転し、レジスト手段から送られてきた厚紙原稿６０をプラテン１５に沿って搬送させる。そして、１枚目の厚紙原稿６０の後端をタイミングセンサＳ２が検出した後に、所定量搬送して給紙モータＭＴ１、搬送モータＭＴ２を停止させてレジストローラ２８ａ及び搬送ベルト５２を止める。これにより、厚紙原稿６０はプラテン１５上の所定の位置に搬送され、画像読取装置１４によって画像が読み取られることになる。
【００２３】
ここで、１枚目の厚紙原稿６０の画像を読み取っている間に給紙トレイ１２に２枚目の厚紙原稿６１がセットされていると、エンプティセンサＳ５が２枚目の厚紙原稿６１を検出し、給紙モータＭＴ１を正転させて繰出しローラ２４と給紙ローラ２７を駆動し、１枚目の厚紙原稿６０と同様に２枚目の厚紙原稿６１を繰り出し、１枚に分離してレジストローラ２８ａとレジストコロ２８ｂとのニップ点２９に先端を突き当て停止した状態で待機させる。
【００２４】
１枚目の読取が終了すると搬送モータＭＴ２を再度正転駆動し、同時に排紙モータＭＴ３も正転させる。これにより、搬送ベルト５２は正回転駆動し、反転ローラ４３も正回転駆動され、１枚目の厚紙原稿６０がプラテン１５上から搬出される。
【００２５】
ここで、１枚目の厚紙原稿６０の先端が反転センサＳ４で検出されると給紙モータＭＴ１を逆転してレジストローラ２８ａを駆動し、レジストローラ２８ａとレジストコロ２８ｂとのニップ点２９に先端が突き当たって待機していた２枚目の原稿６１をプラテン１５に向けて送るように制御され、１枚目と同様にプラテン１５上の所定位置に搬送されて停止される。
【００２６】
以降、２枚目の厚紙原稿６１についても１枚目の厚紙原稿６０と同様な排紙動作が実行され、また３枚目、４枚目の厚紙原稿が給紙トレイ１２にある場合は、同様な給紙、搬送、排紙動作が実行される。
【００２７】
なお、上述した厚紙原稿のレジスト動作は、本原稿給紙装置における原稿の両面読取モードの動作についても同様であるので、ここではその説明を省略する。
【００２８】
以上説明したように、本発明に係る原稿給紙装置にあっては、原稿の給紙途中でレジスト処理を行なう場合に、一対のレジストローラがブレーキ手段によってロックされるので、ケント紙のような腰の強い厚紙原稿の先端がニップ点を強く押したとしてもレジストローラが回転することがなく、厚紙原稿の先端をニップ点で確実に突き当ててループをとることができるため、原稿のスキューを十分に取り除くことができる。また、一対のレジストローラが両方とも駆動されているので、原稿の搬送力が増してスリップなどを確実に抑えることができるといった効果を奏する。
【図面の簡単な説明】
【図１】本発明に係る原稿給紙装置の外観を示す斜視図である。
【図２】本発明に係る原稿給紙装置の内部構造を示す図１のＡ−Ａ線断面図である。
【図３】本発明の要旨であるレジスト手段の駆動及びブレーキ手段を示す斜視図である。
【図４】前記レジスト手段の駆動及びブレーキ手段を示す斜視図である。
【図５】本発明に係る原稿給紙装置の給紙トレイ上に厚紙原稿を載置した状態を示す動作説明図である。
【図６】本発明に係る原稿給紙装置に厚紙原稿の先端がレジストされた状態を示す動作説明図である。
【図７】画像読取装置のプラテン上に厚紙原稿が搬送された状態を示す動作説明図である。
【図８】従来のレジスト手段の駆動手段を示す斜視図である。
【符号の説明】
１０　原稿給紙装置
１３　給紙ユニット
２８ａ　レジストローラ（レジスト手段）
２８ｂ　レジストコロ（レジスト手段）
２９　ニップ点
３３，３５　支軸（駆動軸）
３４，３６　ギヤ（連結手段）
３７　電磁クラッチ（ブレーキ手段）
６０，６１　厚紙原稿
【図１】
2004026375.tif 000003
【図２】
2004026375.tif 000004
【図３】
2004026375.tif 000005
【図４】
2004026375.tif 000006
【図５】
2004026375.tif 000007
【図６】
2004026375.tif 000008
【図７】
2004026375.tif 000009
【図８】
2004026375.tif 000010